(57)【要約】【課題】腕への装着時、或いは外観的に温かみ感のある時計バンドを備えた腕時計及び腕時計セットを提供する。【解決手段】腕時計１の時計バンド３をフェルト素材で形成し、このフェルト素材に時計ケース２を嵌める開口を形成し、この開口に止め具を介して時計ケース２を固定した。【選択図】　　　図１
2004121591.tif 000002
【特許請求の範囲】
【請求項１】
腕時計の時計バンドをフェルト素材で形成し、このフェルト素材に時計ケースを嵌める開口を形成し、この開口に止め具を介して時計ケースを固定したことを特徴とする腕時計。
【請求項２】
時計バンドが複数枚のフェルト素材を積層して形成されていることを特徴とする請求項１記載の腕時計。
【請求項３】
腕装着側のフェルト素材の丈が時計視認側のフェルト素材の丈より短く形成されていることを特徴とする請求項２記載の腕時計。
【請求項４】
時計バンドを構成するフェルト素材にホックを固定し、このホックで時計バンドの連結具を構成したことを特徴とする請求項１乃至３のいずれか一項記載の腕時計。
【請求項５】
時計バンドを構成するフェルト素材に美錠を固定し、この美錠で時計バンドの連結具を構成したことを特徴とする請求項１乃至４のいずれか一項記載の腕時計。
【請求項６】
素材から型抜き形成された時計ケース付きの時計バンドと、この時計バンドを型抜きした後の残余の空間を当該時計バンドの収納部とした当該時計バントと同一素材からなるパッケージとを備えたことを特徴とする腕時計セット。
【請求項７】
素材がフェルト素材で形成されていることを特徴とする請求項６記載の腕時計セット。
【請求項８】
素材が複数枚のフェルト素材を積層して形成されていることを特徴とする請求項６記載の腕時計セット。
【請求項９】
腕装着側のフェルト素材の丈が時計視認側のフェルト素材の丈より短く形成されていることを特徴とする請求項８記載の腕時計セット。
【請求項１０】
時計バンドを構成するフェルト素材に時計ケースを嵌める開口を形成し、この開口に止め具を介して時計ケースを固定したことを特徴とする請求項６乃至９のいずれか一項記載の腕時計セット。
【請求項１１】
時計バンドを構成するフェルト素材にホックを固定し、このホックで時計バンドの連結具を構成したことを特徴とする請求項６乃至１０のいずれか一項記載の腕時計セット。
【請求項１２】
素材から時計ケース付きの時計バンドを任意の形状に切り取り可能に構成したことを特徴とする腕時計セット。
【請求項１３】
素材がフェルト素材で形成されていることを特徴とする請求項１２記載の腕時計セット。
【請求項１４】
素材が複数枚のフェルト素材を積層して形成されていることを特徴とする請求項１２記載の腕時計セット。
【請求項１５】
腕装着側のフェルト素材の丈が時計視認側のフェルト素材の丈より短く形成されていることを特徴とする請求項１４記載の腕時計セット。
【請求項１６】
素材の時計バンド予定部に時計ケースを嵌める開口を形成し、この開口に止め具を介して時計ケースを固定したことを特徴とする請求項１２乃至１５のいずれか一項記載の腕時計セット。
【請求項１７】
素材の時計バンド予定部にホックを固定し、このホックで時計バンドの連結具を構成したことを特徴とする請求項１２乃至１６のいずれか一項記載の腕時計セット。
【発明の詳細な説明】
【０００１】
【発明の属する技術分野】
本発明は、腕への装着時、或いは外観的に温かみ感のある時計バンドを備えた腕時計及び腕時計セットに関する。
【０００２】
【従来の技術】
一般に、腕に腕時計を装着するための時計バンドとして広く利用されているものに、金属製の駒を複数連結したメタルバンドや、革製の時計バンド等が知られている（例えば、特許文献１参照）。
【特許文献１】
特開２００２−２３３４０５号公報
【０００３】
【発明が解決しようとする課題】
しかし、従来の構成において、メタルバンドや革製の時計バンドは、腕への装着時、或いは外観的に冷ややかな感じがある。
そこで、本発明の目的は、上述した従来の技術が有する課題を解消し、腕への装着時、或いは外観的に温かみ感のある時計バンドを備えた腕時計及び腕時計セットを提供することにある。
【０００４】
【課題を解決するための手段】
本発明は、腕時計の時計バンドをフェルト素材で形成し、このフェルト素材に時計ケースを嵌める開口を形成し、この開口に止め具を介して時計ケースを固定したことを特徴とする。
本発明は、時計バンドが複数枚のフェルト素材を積層して形成されていることを特徴とする。
本発明は、腕装着側のフェルト素材の丈が時計視認側のフェルト素材の丈より短く形成されていることを特徴とする。
【０００５】
本発明は、時計バンドを構成するフェルト素材にホックを固定し、このホックで時計バンドの連結具を構成したことを特徴とする。
本発明は、ホックを固定した部分のフェルト素材の厚さを、その他の部分におけるフェルト素材の厚さの略１／２に形成することが好ましい。
本発明は、時計バンドを構成するフェルト素材に美錠を固定し、この美錠で時計バンドの連結具を構成したことを特徴とする。
本発明は、美錠がフェルト素材にリベット止めされ、或いは美錠がフェルト素材に縫製されることが好ましい。
【０００６】
本発明は、素材から型抜き形成された時計ケース付きの時計バンドと、この時計バンドを型抜きした後の残余の空間を当該時計バンドの収納部とした当該時計バントと同一素材からなるパッケージとを備えたことを特徴とする。
本発明は、素材がフェルト素材で形成されていることを特徴とする。
本発明は、素材が複数枚のフェルト素材を積層して形成されていることを特徴とする。
本発明は、腕装着側のフェルト素材の丈が時計視認側のフェルト素材の丈より短く形成されていることを特徴とする。
【０００７】
本発明は、時計バンドを構成するフェルト素材に時計ケースを嵌める開口を形成し、この開口に止め具を介して時計ケースを固定したことを特徴とする。
本発明は、時計バンドを構成するフェルト素材にホックを固定し、このホックで時計バンドの連結具を構成したことを特徴とする。
本発明は、ホックを固定した部分のフェルト素材の厚さを、その他の部分におけるフェルト素材の厚さの略１／２に形成することが好ましい。
【０００８】
本発明は、素材から時計ケース付きの時計バンドを任意の形状に切り取り可能に構成したことを特徴とする。
本発明は、素材がフェルト素材で形成されていることを特徴とする。
本発明は、素材が複数枚のフェルト素材を積層して形成されていることを特徴とする。
本発明は、腕装着側のフェルト素材の丈が時計視認側のフェルト素材の丈より短く形成されていることを特徴とする。
【０００９】
本発明は、素材の時計バンド予定部に時計ケースを嵌める開口を形成し、この開口に止め具を介して時計ケースを固定したことを特徴とする。
本発明は、素材の時計バンド予定部にホックを固定し、このホックで時計バンドの連結具を構成したことを特徴とする。
本発明は、ホックを固定した部分のフェルト素材の厚さを、その他の部分におけるフェルト素材の厚さの略１／２に形成することが好ましい。
【００１０】
【発明の実施の形態】
以下、本発明の実施の形態を、図面に基づき説明する。
図１は、腕時計を示す。この腕時計１は、時計ケース２と、時計バンド３とを備え、時計バンド３には、時計バンド３の連結具を構成するホック５〜８が一体的に形成されている。この時計バンド３には、腕への装着時にも、或いは外観的にも温かみ感のあるフェルト素材が使用されている。このフェルト素材には、例えば鹿、山羊、トナカイ等の羊毛主体、合成繊維主体、或いは合成繊維１００％の素材等があり、望ましくは、羊毛主体のフェルト素材が使用される。
【００１１】
この時計バンド３は、複数枚のフェルト素材を積層し、互いを接着剤で接着して積層形成されている。
図２Ａに示すように、例えば３枚のフェルト素材３Ａ〜３Ｃの長さを同一にして積層した場合、腕に装着するため、これを湾曲させると、図２Ｂに示すように、内側（腕装着側）のフェルト素材３Ｂ，３Ｃに歪みが生じ、接着層が剥がれやすくなる。
本実施形態では、図２Ｃに示すように、３枚のフェルト素材３Ａ〜３Ｃの内、内側（腕装着側）のフェルト素材の長手方向の丈を、外側（時計視認側）のフェルト素材の長手方向の丈に比べて徐々に短く形成して、これを、図２Ｄに示すように、湾曲させた状態で、時計バンド３の両端を揃えて接着積層する。これによれば、腕に装着した場合、内側のフェルト素材３Ｂ，３Ｃに歪みが生じることがなく、接着層が剥がれやすい、といった欠点が解消される。
【００１２】
図３は、時計ケース２の止め具を示す斜視図である。ここでは、外側のフェルト素材３Ａが下に、中間のフェルト素材３Ｂが上に示されている。２枚のフェルト素材３Ａ、３Ｂには、時計ケース２を嵌めるための開口１１が形成され、この開口１１の周辺には一対の止め具１３，１５が挟み込まれている。すなわち、この止め具１３，１５は、２枚のフェルト素材３Ａ、３Ｂの間に挟み込まれる平板状の本体１３Ａ，１５Ａと、この本体１３Ａ，１５Ａに一体的に形成され、開口１１内に突出する夫々一対の突片１３Ｂ，１５Ｂとを備え、一対の突片１３Ｂ，１５Ｂ間に、図４に示すように、ばね棒１７を用いて時計ケース２が固定されている。この時計ケース２の裏面側には、残りの内側のフェルト素材３Ｃが接着剤で接着積層されている。この場合、図５に示すように、時計ケース２の表面が、外側のフェルト素材３Ａよりも僅かに突出する。
【００１３】
時計バンド３の連結具を構成するホック５〜８は、図６及び図７に示すように、フェルト素材３Ａ，３Ｃに取り付けられる。一方のフェルト素材３Ｃに取り付けられるホック５は、図６Ａに示すように、凸形部５Ａと止め部５Ｂとからなり、これらの間に、図６Ｂ、図６Ｃに示すように、内側のフェルト素材３Ｃを挟んで、両者を嵌入して取り付けられる。また、他方のフェルト素材３Ｃに取り付けられるホック６〜８は、図７Ａに示すように、凹形部６Ａ〜８Ａと止め部６Ｂ〜８Ｂとからなり、これらの間に、図７Ｂ、図７Ｃに示すように、外側のフェルト素材３Ａを挟んで、両者を嵌入して取り付けられる。
時計バンド３は、図８Ａ、図８Ｂに示すように、ホック５の凸形部５Ａを、ホック６〜８の凹形部６Ａ〜８Ａのいずれかに嵌入させることで連結される。ホック５〜８を固定した部分のフェルト素材３Ａ〜３Ｃ全体の厚さＴ１は、その他の部分におけるフェルト素材３Ａ〜３Ｃ全体の厚さＴ２の略１／２に形成することが望ましい。時計バンド３を腕に装着した場合、図８Ｂに示すように、連結部５１が平坦化し、出張りが発生しないからである。
【００１４】
時計バンド３の連結具は、ホック５〜８に限定されるものではなく、図９に示すように、美錠２１であってもよい。
美錠２１の場合、図１０Ａに示すように、フェルト素材３Ａ〜３Ｃ全体にリベット２２止めしてもよく、或いは、図１０Ｂに示すように、フェルト素材３Ａ〜３Ｃ全体に縫製２３してもよい。
【００１５】
つぎに、図１１Ａ、図１１Ｂを参照して別の実施形態を説明する。
本実施形態では、３枚のフェルト素材３Ａ〜３Ｃを接着積層した素材３１が準備され、この素材３１から型抜き形成された時計ケース２、並びにホック５〜８付きの時計バンド３が形成される。時計ケース２、並びにホック５〜８の固定手段等は、上記実施形態と同様の手段が採用される。そして、この時計バンド３を型抜きした後の残余の空間を、当該時計バンド３の収納部３２とした当該時計バント３と同一素材からなる化粧パッケージ３３が形成される。
この場合、パッケージ３３の収納部３２に、時計バンド３を嵌め込んだ状態（図１１Ｂ）で、素材３１の表面に、種々のデザインを施こしたり、或いは、取扱説明方法等を記載したりすることは可能である。
時計ケース２、並びにホック５〜８付きの時計バンド３と、パッケージ３３とが腕時計セットを構成している。
【００１６】
本実施形態では、腕時計の使用後、パッケージ３３の収納部３２に、時計ケース２、並びにホック５〜８付きの当該時計バンド３を収納することができる。また、収納した状態で、パッケージ３３を、例えば、飾り棚等に収納すれば、それ自体意匠性が増す等の効果が得られる。
【００１７】
図１２Ａ、図１２Ｂは、更に別の実施形態を示している。
本実施形態では、３枚のフェルト素材３Ａ〜３Ｃを接着積層した素材４１が準備される。この素材４１は、予め、時計バンド予定部４３よりも大きく形成されており、時計ケース２付きの時計バンド３を、図１２Ｂに示すように、鋏４４等の手段によって任意の形状に切り取り可能に構成されている。これによれば、時計バンド３を好みの形状、或いは腕の太さに合わせた形状等に切り取りが可能である。この場合、素材４１の裏面に、時計バンド予定部４３の外郭を示す切り取り用のライン４３Ａを入れておくことが可能である。時計バンド予定部４３を含む素材４１が、腕時計セットを構成する。
【００１８】
素材４１の時計バンド予定部４３には、上記実施形態と同様に、時計ケース２を嵌める開口が形成され、この開口に止め具を介して時計ケース２が固定されている。また、素材４１の時計バンド予定部４３には、上記実施形態と同様に、ホック５〜８が固定され、このホック５〜８で時計バンド３の連結具が構成されている。ホック５〜８を固定した部分のフェルト素材の厚さは、上記実施形態と同様に、その他の部分におけるフェルト素材の厚さの略１／２に形成される。このように、時計ケース２、並びにホック５〜８の固定手段等は、上記実施形態と同様の手段が採用される。
【００１９】
以上、本発明を一実施形態に基づいて説明したが、本発明はこれに限定されるものではない。フェルト素材は、複数枚を積層したものに限定されず、厚さが十分であれば、１枚であってもよい。また、腕時計セットにあっては、フェルト素材に限定されず、型抜き、或いは切り取りが容易であれば、ほかの素材を使用してもよいことは明らかである。
【００２０】
【発明の効果】
本発明では、腕への装着時、或いは外観的に温かみ感のある時計バンドを備えた腕時計及び腕時計セットが提供される。
【図面の簡単な説明】
【図１】本発明に係る腕時計及び腕時計セットの一実施形態を示す斜視図である。
【図２】Ａは長さ同一のフェルト素材を重ねた状態を示す断面図、Ｂはそれを曲げた状態を示す断面図、Ｃは長さが異なるフェルト素材を重ねた状態を示す断面図、Ｄはそれを曲げた状態を示す断面図である。
【図３】フェルト素材に時計ケースを固定する状態を示す分解斜視図である。
【図４】同じく斜視図である。
【図５】同じく断面図である。
【図６】Ａ〜Ｃは、凸形ホックを示す側面図である。
【図７】Ａ〜Ｃは、凹形ホックを示す側面図である。
【図８】Ａはホックを連結する状態を示す断面図、Ｂは同じく平面図である。
【図９】美錠を示す斜視図である。
【図１０】Ａは美錠をリベット止めした斜視図、Ｂは美錠を縫製した斜視図である。
【図１１】Ａ、Ｂは、腕時計セットの一実施形態を示す斜視図である。
【図１２】Ａ、Ｂは、腕時計セットの別の実施形態を示す斜視図である。
【符号の説明】
１…腕時計　２…時計ケース　３…時計バンド　３Ａ〜３Ｃ…フェルト素材
５〜８…ホック　１１…開口　１３，１５…止め具　２１…美錠　２３…縫製
３１…素材　３３…パッケージ　４１…素材　４３…時計バンド予定部
【図１】
2004121591.tif 000003
【図２】
2004121591.tif 000004
【図３】
2004121591.tif 000005
【図４】
2004121591.tif 000006
【図５】
2004121591.tif 000007
【図６】
2004121591.tif 000008
【図７】
2004121591.tif 000009
【図８】
2004121591.tif 000010
【図９】
2004121591.tif 000011
【図１０】
2004121591.tif 000012
【図１１】
2004121591.tif 000013
【図１２】
2004121591.tif 000014